(57)【要約】【課題】本発明は、再生時において、口述者と口述内容を容易に確認することができる、低電力で使い易い、撮像機能を備えた音声記録再生装置におけるデータ処理装置を提供する。【解決手段】撮像した映像を画像データとして出力する撮像手段５と、上記撮像手段より出力された上記画像データを少なくとも一フレーム単位で一時的に記憶する記憶手段６と、上記撮像手段５、および上記記憶手段６に電力を供給する電源と、複数の操作スイッチ１０と、上記操作スイッチ１０のうち、所定の操作スイッチを操作した場合のみ、上記撮像手段５および上記記憶手段６に電源が供給されるように制御する制御手段とを具備する。【選択図】　図１
2004032717.tif 000002
【特許請求の範囲】
【請求項１】
撮像した映像を画像データとして出力する撮像手段と、
上記撮像手段より出力された上記画像データを少なくとも一フレーム単位で一時的に記憶する記憶手段と、
上記撮像手段、および上記記憶手段に電力を供給する電源と、
複数の操作スイッチと、
上記操作スイッチのうち、所定の操作スイッチを操作した場合のみ、上記撮像手段および上記記憶手段に電源が供給されるように制御する制御手段と、
を具備することを特徴とするデータ処理装置。
【請求項２】
上記所定の操作スイッチは、撮像を指示するためのレリーズスイッチであることを特徴とする請求項１に記載のデータ処理装置。
【請求項３】
上記所定の操作スイッチは、二段押しのスイッチで構成されており、
上記制御手段は、上記所定の操作スイッチの一段目の押下操作によって、上記撮像手段、および上記記憶手段への電源の供給が開始されるように制御することを特徴とする請求項１に記載のデータ処理装置。
【請求項４】
上記制御手段は、上記操作スイッチの押下操作の開放に基づいて、あるいは上記画像データに対する所定の処理の終了に基づいて、上記撮像手段、および上記記憶手段への電源の供給を停止するように制御することを特徴とする請求項１に記載のデータ処理装置。
【請求項５】
上記所定の操作スイッチは、二段押しのスイッチで構成されており、
上記制御手段は、上記操作スイッチの第一段、または第二段の押下操作の開放に基づいて、あるいは上記画像データに対する所定の処理の終了に基づいて、上記撮像手段、および上記記憶手段への電源の供給を停止するように制御することを特徴とする請求項４に記載のデータ処理装置。
【請求項６】
映像を画像データとして撮影する撮像手段と、
入力された音声を音声データに変換して記録する録音手段と、
上記録音手段において音声の記録および画像の撮影が可能な第１のモードと、上記録音手段による記録が禁止され、上記撮像手段による撮影のみ可能な第２のモードと、を選択可能なモード選択手段と、
上記モード選択手段により選択された動作モードに応じて上記撮像手段への電源の供給を制御する制御手段と、
を具備することを特徴とするデータ処理装置。
【請求項７】
上記制御手段は、上記モード選択手段により上記第１のモードが選択されたときには、所定の操作が行われた場合のみ上記撮像手段への電源を供給することを特徴とする請求項６に記載のデータ処理装置。
【請求項８】
さらに、撮影を指示するための指示手段を具備し、上記所定の操作とは、上記撮影指示手段の指示操作であることを特徴とする請求項７に記載のデータ処理装置。
【請求項９】
上記指示手段は二段押しのスイッチで構成されており、上記所定の操作とは、上記スイッチの第一段目の押し下げ動作であることを特徴とする請求項８に記載のデータ処理装置。
【請求項１０】
上記制御手段は、上記スイッチの一段目の押下操作よって上記撮像手段への電源供給を開始し、上記押下操作の開放に基づいて上記撮像手段への電源の供給を停止することを特徴とする請求項９に記載のデータ処理装置。
【請求項１１】
上記制御手段は、上記モード選択手段により上記第２のモードが選択されたときには直ちに上記撮像手段への電源を供給することを特徴とする請求項６に記載のデータ処理装置。
【請求項１２】
上記制御手段は、上記モード選択手段により上記第１のモードが選択されたときには、所定の操作が行われた場合のみ上記撮像手段への電源を供給することを特徴とする請求項１１に記載のデータ処理装置。
【請求項１３】
さらに、撮影を指示するための指示手段を具備し、上記所定の操作とは、上記撮影指示手段の指示操作であることを特徴とする請求項１２に記載のデータ処理装置。
【請求項１４】
上記指示手段は二段押しのスイッチで構成されており、上記所定の操作とは、上記スイッチの第一段目の押し下げ動作であることを特徴とする請求項１３に記載のデータ処理装置。
【請求項１５】
上記制御手段は、上記スイッチの一段目の押下操作よって上記撮像手段への電源供給を開始し、上記押下操作の開放に基づいて上記撮像手段への電源の供給を停止することを特徴とする請求項１４に記載のデータ処理装置。
【発明の詳細な説明】
【０００１】
【発明の属する技術分野】
本発明は、データ処理装置、詳しくは、撮像機能を備えた音声記録再生装置におけるデータ処理装置に関する。
【０００２】
【従来の技術】
周知のように、音声信号をデジタルデータに変換した後、書き換え可能な記憶媒体としてのフラッシュメモリに記憶し、上記フラッシュメモリに記憶された音声データをアナログ化して再生するという携帯型の音声記録再生装置（以下、ＩＣレコーダと称す）が実用化されている。
【０００３】
上記ＩＣレコーダの特徴としては、所定の操作スイッチを操作することにより、録音、再生、早送り、および早戻しなどの各動作モードを選択的に動作させることができることにある。たとえば、録音動作モードを選択したときは、予め上記フラッシュメモリに設けられた音声データ領域およびインデックス情報領域に、デジタル信号に変換された音声データ、および該音声データに関するインデックス情報（音声データのアドレス、録音日時等）を記憶するようになっている。
【０００４】
一方、画像だけでなく、音声も記録できる電子スチルカメラが実用化されている。しかし、この電子スチルカメラの場合、限られた記憶容量の大部分を画像記録に割り当てなければならないため、音声を記録する時間は、一つの画像に対して数十秒程度とかなり短かくなってしまう。
【０００５】
そこで、特開平６−２２２５８号公報では、画像記録媒体とは別に音声記録専用の媒体を設けることにより、長時間の音声記録を実現させ、また画像再生時の音声を瞬時に出力するために、音声記録を各画像の記録開始時点の絶対時間に対応づける提案がなされている。
【０００６】
さらに、電子スチルカメラの場合、カメラの基本性能としてレリーズタイムラグを極力小さくしなければならないため、レリーズスイッチとは別にパワースイッチを設け、このパワースイッチのオン動作に連動して、ＣＣＤ，ＣＭＯＳセンサー等の撮像素子を含めたシステム全体の通電を行い、レリーズスイッチが
いつ押下されても、ただちに撮影ができるように待機するようにしている。
【０００７】
ただし、通電状態のままでは電池の消耗が激しいため、たとえば特開２００１−３２０６２６号公報では、省電力モードを設定することによって電子スチルカメラの最低限の機能を維持させつつ、低消費電力化を図ろうとする提案がなされている。
【０００８】
【発明が解決しようとする課題】
しかし、音声記録を主目的とした場合、たとえば、複数の口述者の口述内容を長時間にわたって録音するようなインタビュー形式の場合には、シャッターチャンスを逃がさないことよりも口述内容を終始もれなく録音することの方が重要となる。すなわち、画像記録時の主要被写体＝口述者と考えれば、口述者が喋り始める時点の画像のみを、しかも口述者が識別できる程度の解像度で撮影して記録できればよい。しかしながら、上記特開平６−２２２５８号公報に提案されている電子スチルカメラのように、レリーズタイムラグの短縮を優先させると、どうしても消費電流が増加してしまい、電池寿命が短かくなるので、同等の録音機能を備えたＩＣレコーダよりも録音動作時間が短くなってしまう。
【０００９】
また、システム全体の通電をパワースイッチに連動させた場合、録音動作中に撮像部だけの通電をオフにするということができなくなるので、使い勝手が悪くなってしまう。さらに、通電状態の撮像部の電源ライン、および信号線からマイクアンプ等の比較的インピーダンスの高い回路に高周波ノイズが誘導されるので、特に録音時の基本性能である音質等のＳＮ比が従来よりも悪化し易くなる。
【００１０】
本発明の目的は、上記事情に鑑みてなされたものであって、再生時において、口述者と口述内容を容易に確認することができる、低電力で使い易い、撮像機能を備えた音声記録再生装置におけるデータ処理装置を提供するにある。
【００１１】
【課題を解決するための手段、及び作用】
上記の目的を達成するために本発明によるデータ処理装置は、撮像した映像を画像データとして出力する撮像手段と、上記撮像手段より出力された上記画像データを少なくとも一フレーム単位で一時的に記憶する記憶手段と、上記撮像手段、および上記記憶手段に電力を供給する電源と、複数の操作スイッチと、上記操作スイッチのうち、所定の操作スイッチを操作した場合のみ、上記撮像手段および上記記憶手段に電源が供給されるように制御する制御手段とを具備することを特徴とし、また上記所定の操作スイッチは、撮像を指示するためのレリーズスイッチであることを特徴とし、更に、上記所定の操作スイッチは、二段押しのスイッチで構成されており、上記制御手段は、上記所定の操作スイッチの一段目の押下操作によって、上記撮像手段、および上記記憶手段への電源の供給が開始されるように制御することを特徴とし、また更に上記制御手段は、上記操作スイッチの押下操作の開放に基づいて、あるいは上記画像データに対する所定の処理の終了に基づいて、上記撮像手段、および上記記憶手段への電源の供給を停止するように制御することを特徴とし、さらに上記所定の操作スイッチは、二段押しのスイッチで構成されており、上記制御手段は、上記操作スイッチの第一段、または第二段の押下操作の開放に基づいて、あるいは上記画像データに対する所定の処理の終了に基づいて、上記撮像手段、および上記記憶手段への電源の供給を停止するように制御することを特徴とする。
【００１２】
さらに、本発明による他のデータ処理装置は、映像を画像データとして撮影する撮像手段と、入力された音声を音声データに変換して記録する録音手段と、上記録音手段において音声の記録および画像の撮影が可能な第１のモードと、上記録音手段による記録が禁止され、上記撮像手段による撮影のみ可能な第２のモードと、を選択可能なモード選択手段と、上記モード選択手段により選択された動作モードに応じて上記撮像手段への電源の供給を制御する制御手段と、を具備することを特徴とする。
【００１３】
【発明の実施の形態】
以下、本発明の実施の形態を図示の例によって説明する。
図１は、本発明の第１の実施の形態であるデータ処理装置の構成の概略を示したブロック図である。
【００１４】
図１に示すように、本実施形態のデータ処理装置は、音声信号および画像信号を所定のフォーマット形式の音声データおよび画像データに符号化する符号化手段１と、被写体を撮影するための撮像手段５と前記撮像手段５が出力する画像データを少なくとも１フレーム単位で一時的に記憶する記憶手段６からなる撮像部７と、複数の操作スイッチが設けられたＳＷ操作部１０と、前記ＳＷ操作部１０の特定のスイッチを操作した場合、上記撮像部７に所定の画像処理を行う間だけ電源を供給するスイッチ手段８と、録音時に限って上記ＳＷ操作部１０の特定スイッチを操作することにより、上記撮像部７の画像データを上記符号化手段１に入力する選択手段９と、上記音声データ、および上記音声データに関連づけられた画像データを記憶する記憶手段２と、再生時に上記記憶手段２から読み出した上記音声データ、および画像データを所定の復号化フォーマットに従って、音声信号および画像信号に復号化する復号化手段３と、上記復号化された音声信号を音声として再生する音声再生部４と、上記復号化された画像信号を画像として再生する画像再生部１２と、上記音声信号に関連づけられた画像信号のみを選択的に上記画像再生部１２に出力するようにした選択手段１１とで構成されている。
【００１５】
また、上記ＳＷ操作部１０の特定スイッチは、第１レリーズスイッチと第２レリーズスイッチとの二段押しのスイッチで構成されており、レリーズ釦の一段目の押下操作で上記第１レリーズスイッチが閉成され、上記撮像部７への電源供給が開始され、二段目の押下操作で第２レリーズスイッチが閉成される。また、上記撮像部７への電源供給は、上記所定の画像処理の終了、第１レリーズスイッチの開放、または第２レリーズスイッチの開放と同時に停止するようになっている。また、上記第２レリーズスイッチが閉成されると、撮像動作が開始される。
【００１６】
図２は、上記第１実施形態におけるデータ処理装置の具体的な構成を示したブロック図である。
この図２に示すように、音声を電気信号に変換するマイクロフォン（ＭＩＣ）２５の出力端は音声入力部２６の入力端に接続されており、また前記音声入力部２６の出力端はデジタル信号処理部（ＤＳＰ）３３の入力端に接続されている。
【００１７】
さらに、上記デジタル信号処理部３３の出力端は音声再生部２７の入力端に接続されており、この音声再生部２７の出力端はスピーカ（ＳＰ）２８の入力端に接続されている。
【００１８】
同様に、画像を電気信号に変換する撮像素子（ＣＣＤ）２１の出力端は、画像入力部２２の入力端に接続されており、前記画像入力部２２の出力端は、上記デジタル信号処理部（ＤＳＰ）３３の入力端に接続されている。
【００１９】
さらに、上記デジタル信号処理部３３の出力端は、画像再生部２３の入力端に接続されており、また前記画像再生部２３の出力端は、たとえばＴＦＴタイプのＬＣＤ等で構成されている画像表示部２４の入力端に接続されている。
【００２０】
上記音声入力部２６は、前記マイクロフォン２５からの電気信号を増幅するマイクアンプ、不要な周波数帯域をカットするローパスフィルタ、および入力される音声信号（アナログ信号）をデジタル信号に変換するＡ／Ｄ変換器（いずれも図示されず）で構成されている。
【００２１】
上記音声再生部２７は、入力されるデジタル信号をアナログ信号に変換するＤ／Ａ変換器、不要な周波数帯域をカットするローパスフィルタ、および音声信号を増幅するパワーアンプ（いずれも図示されず）で構成されている。
【００２２】
上記画像入力部２２は、アイリス、ゲイン、ホワイトバランス等の各制御回路、およびＡ／Ｄ変換器（いずれも図示されず）で構成されており、前記撮像素子２１が出力する各画素信号を、上記画像入力部２２によりデジタル信号に変換する。
【００２３】
上記画像再生部２３は、ビデオ制御回路、およびＤ／Ａ変換器（いずれも図示されず）で構成されており、この画像再生部２３で入力されるデジタル信号をアナログ信号に変換する。
【００２４】
上記デジタル信号処理部３３は、後述するシステム制御部３０によって制御され、録音時には上記音声および画像の各デジタル信号をフレーム単位で所定の符号化フォーマットの音声データおよび画像データに符号化（圧縮）する。そして、符号化された各データは、一時的にシステム制御部３０の図示しないバッファメモリに記憶される。また、再生時には前記バッファメモリから音声データ、および画像データをフレーム単位で復号化（伸長）する処理を行う。
【００２５】
そして、前記デジタル信号処理部３３には、システム制御部３０が接続されており、このシステム制御部３０には、上記デジタル信号処理部３３以外に、記憶部（メモリ）３２、操作部３１、および表示部２９がそれぞれ接続されている。
【００２６】
上記システム制御部３０は、ＣＰＵ等で構成され、本装置全体の制御を行うものであり、上記操作部３１の所定の操作スイッチを操作した場合の上記撮像手段、および上記記憶手段に電源が供給されるように制御する制御手段を有している。また上記記憶部３２は、不揮発性の半導体メモリ、たとえばフラッシュメモリ等で構成されており、録音時は、上記デジタル信号処理部３３で符号化された音声データおよび画像データを上記システム制御部３０の図示しないバッファメモリを介して記憶する。このとき、音声データおよび画像データに関するインデックス情報も記憶する。
【００２７】
上記操作部３１は、各種機能を制御するための操作スイッチであり、録音スイッチ（ＲＥＣ）、再生スイッチ（ＰＬＡＹ）、停止スイッチ（ＳＴＯＰ）、早送りスイッチ（ＦＦ）、早戻しスイッチ（ＲＥＷ）、メニュースイッチ（ＭＥＮＵ）、ホールドスイッチ（ＨＯＬＤ）、消去スイッチ（ＥＲＡＳＥ）等から構成されている。
【００２８】
上記表示部２９は、上記操作部３１のいずれかのスイッチ操作により、所定のシーケンス動作が開始されたときの動作モード、またはその後の動作状況を表示するものである。たとえば、録音スイッチ（ＲＥＣ）を押した場合は、録音の経過時間、録音可能な残り時間、およびファイルナンバー等を表示し、また、メニュースイッチ（ＭＥＮＵ）を押した場合は、マイク感度（高／低）、録音モード（標準／ロング）、およびアラーム（オン／オフ）等の機能選択に関連した表示を行う。さらに、上記システム制御部３０が時計機能を有している場合は、現在日時の表示も行う。また、これら表示内容は、上記画像表示部２４に表示してもよい。
【００２９】
次に、本実施形態のデータ処理装置の動作を図３を参照しながら説明すると、図３は、上記実施の形態を示すデータ処理装置におけるメイン動作の処理の概略を示したフローチャートである。
【００３０】
このフローに示すように、当該データ処理装置がパワーオンされると、図２のシステム制御部３０は、ステップＳ１で所定の初期設定を行ってステップＳ２に移行し、ステップＳ２でタイマスタートを実行して、ステップＳ３以下に移行する。このタイマは、所定時間経過後に、データ処理装置が通常の動作モードから待機モード（低消費電流モード）に入るための時間を計時するものである。
【００３１】
データ処理装置が動作モードに入ると、前記システム制御部３０は、以下、前記操作部３１の各種スイッチのオン検出のチェックを、録音スイッチ（ＲＥＣ）、再生スイッチ（ＰＬＡＹ）、早送りスイッチ（ＦＦ）、早戻しスイッチ（ＲＥＷ）、停止スイッチ（ＳＴＯＰ）、メニュースイッチ（ＭＥＮＵ）、消去スイッチ（ＥＲＡＳＥ）の順に、ステップＳ３〜ステップＳ８、ステップＳ１８で行い、それぞれのオン検出に応じて、それぞれ前記各ステップから分岐して、ステップＳ１１、ステップＳ１２、ステップＳ１３、ステップＳ１４、ステップＳ１５、ステップＳ１６、ステップＳ１９において所定のサブルーチン“録音処理”“再生処理”“早送り処理”“早戻し処理”“停止処理”“メニュー変更処理”“消去処理”を実行する。
【００３２】
上記サブルーチン実行後は、上記タイマをステップＳ１７で再スタートさせ、メインループに戻る。
【００３３】
なお、上記早送り処理、早戻し処理、停止処理、メニュー変更処理、および消去処理の各処理は、周知の技術手段を用いて実施しており、また、本発明の内容に直接関係しないので詳しい説明は省略する。
【００３４】
ステップＳ３〜ステップＳ８およびステップＳ１８ですべてのスイッチがオフしている場合は、ステップＳ９に移行し、上記タイマの計時時間が所定時間をオーバーしているか否かを判定し、タイムオーバーしていなければ、ステップＳ３から始まるメインフローに戻り、タイムオーバーしていると、ステップＳ１０に移行して、待機モードのサブルーチンに入り、低消費電流状態となる。
【００３５】
具体的には図２の音声入力部２６、画像入力部２２、音声再生部２７、画像再生部２３、画像表示部２４、デジタル信号処理部３３、表示部２９、および記憶部３２の電源を遮断、もしくは各ブロックを構成する図示しないＩＣに設けられているチップイネーブル端子に、システム制御部３０から非選択信号を出力することにより、低消費電流状態となる。このとき、システム制御部３０のＣＰＵは、自らの動作クロックを最も消費電流の少ない低速クロックに切り換えて低消費電流状態になる。場合によっては、動作クロックをメインクロック（たとえば、９．２８ＭＨｚ）からサブクロック（たとえば、３２．７６８ｋＨｚ）に切り換えて、その後スイッチ入力が検出されるまでメインクロックを完全に停止させてもよい。この待機モードにおいて、いづれかの操作スイッチが操作された場合には、動作クロックをメインクロックに戻し、ステップＳ２へ戻る。
【００３６】
次に、上記所定のサブルーチンのうち、ステップＳ１１の“録音処理”について図５のフローチャート、図２、および図４を参照しながら説明する。
【００３７】
図４は、上記図２の記憶部３２に記憶された、音声データ領域とインデックス情報領域のそれぞれの構成と対応を示した図であり、図５は、上記図３中の録音処理動作を詳細に説明したフローチャートである。
【００３８】
図５において、録音が開始されると、最初にステップＳ４４でマイク感度（高／低）、録音モード（標準／ロング）、ファイルナンバー、およびこの音声データを記憶する音声データ記憶領域開始アドレス等の各種情報が、前記記憶部３２中のインデックス情報領域に記憶され、ステップＳ４５に移行する。
【００３９】
ステップＳ４５ではレリーズフラグを検出する。後述するステップＳ４８でレリーズフラグをセットしてあれば、ステップＳ４９に分岐して１ｓｔレリーズスイッチの状態を判定する。１ｓｔレリーズスイッチがオンであれば、ステップＳ５１に移行して２ｎｄレリーズスイッチの状態を確認し、ステップＳ４９で１ｓｔレリーズスイッチがオフのときは、ステップＳ５０に分岐してレリーズフラグをリセットする。
【００４０】
ステップＳ５１で２ｎｄレリーズスイッチがオンのときは、ステップＳ５２に移行して画像取得フラグをセットしてステップＳ５３に移行し、画像取得処理のサブルーチンを実行する。なお、上記１ｓｔレリーズスイッチおよび２ｎｄレリーズスイッチは、後述するレリーズスイッチ（ＲＥＬ）と等価である。
【００４１】
上記ステップＳ４５でレリーズフラグがセットされていなかった場合、ステップＳ４６に移行して、録音中に１ｓｔレリーズスイッチがオンしているか否かを判定する。１ｓｔレリーズスイッチがオンしていれば、ステップＳ４７に分岐して撮像素子の通電を開始してステップＳ４８に移行し、レリーズフラグをセットし、ステップＳ５３に移行し、画像取得処理のサブルーチンを実行する。
【００４２】
上記ステップＳ４６で１ｓｔレリーズスイッチがオフであれば、ステップＳ５３に移行して、そのまま画像処理のサブルーチンを実行する。
【００４３】
尚、ステップＳ５３の画像取得処理のサブルーチンは後述する図６で詳細に説明する。
【００４４】
ステップＳ５３で画像取得処理のサブルーチンが実行された後は、ステップＳ５４に移行し、デジタル信号処理部３３による音声信号の符号化が行われるが、符号化そのものはフレーム単位で行うため、音声データが所定フレーム数になるまで連続的に行われる。
【００４５】
続くステップＳ５５では、システム制御部３０の図示しないバッファメモリに記憶された音声データが、予め決められた所定フレーム数に達したか否かを判定する。音声データが所定フレーム数に達していれば、ステップＳ５６に移行し、音声データを前記記憶部３２の音声データ記憶領域開始アドレスから順に書き込んで記憶する。たとえば、１０ビット／フレームの音声信号を４ビット／フレームまで符号化した音声データを上記記憶部３２へ５１２バイト単位で書き込む場合、所定フレーム数は１０２４になる。
【００４６】
ここで、前記記憶部３２に記憶される音声データは、図４に示すように、音声データ領域Ａ、および音声データ領域Ｂがたとえば音声データ領域の先頭アドレスから順に記憶されている。また、音声データ領域Ａ、および音声データ領域Ｂに対応する開始アドレスが、音声データ領域Ａの先頭アドレス、および音声データ領域Ｂの先頭アドレスとしてインデックス情報領域に記憶されている。以下、音声データ領域Ｃ、音声データ領域Ｄ、・・・と、音声データ領域が確保される毎に、各音声データ領域の先頭アドレスをインデックス情報領域に記憶されるようになっている。音声データを記憶部３２に記憶した後は、ステップＳ５７に移行する。
【００４７】
ステップＳ５７では後述する画像取得フラグがリセットされているか否かを判定する。画像取得フラグがリセットされているときは、前記音声信号の符号化と後述する画像信号の符号化を一つの前記デジタル信号処理部３３によって同時進行させる。すなわち、撮影中も音切れが起こらないように、音声データと画像データを所定フレーム数毎に記憶部３２に交互に記憶する。
【００４８】
ステップＳ５７で画像取得フラッグがリセットされていない場合は、ステップＳ５３に戻り、画像取得処理サブルーチンを繰り返す。
【００４９】
画像取得が終了した後は、ステップＳ５８に移行し、画像取得終了フラグがセットされているか否かを判定しながら音声信号の符号化を続ける。画像取得終了フラグがセットされていれば、ステップＳ５９に分岐して１ｓｔレリーズスイッチの状態を検出し、オフを検出すると、以下、ステップＳ６０〜ステップＳ６２で撮像素子の通電を停止して、画像取得終了フラグとレリーズフラグをリセットする。
【００５０】
上記ステップＳ５９で１ｓｔレリーズスイッチがオンであれば、ステップＳ５３に戻り、画像取得処理サブルーチンを繰り返す。
【００５１】
上記ステップＳ４５〜ステップＳ６２は、ステップＳ６３の停止スイッチ（ＳＴＯＰ）がオンするまでの間、所定のレリーズシーケンス動作に従って各ステップの実行が繰り返される。停止スイッチ（ＳＴＯＰ）がオンすると、ステップＳ６４に移行して録音終了処理を実行して録音を終了し、その後リターンする。
【００５２】
次に、上記所定のサブルーチンのうち、ステップＳ５３の“画像取得処理”について図６のフローチャート、図２、および図４を参照しながら説明する。
【００５３】
図６は、上記図５中の画像取得処理動作を詳細に説明したフローチャートである。
まず、ステップＳ７１で画像取得フラグがセットされているか否かを検出する。セットされていなければ通常の録音処理を実行するが、セットされているときは、撮像動作を行う場合であるので、ステップＳ７２に移行してデジタル信号処理部３３により、取得した画像信号の符号化を行う。符号化そのものは音声データ同様にフレーム単位で行い、画像データが所定フレーム数になるまで連続的に行われる。そして、続くステップＳ７３で、上記システム制御部３０の図示しないバッファメモリに記憶された画像データが、予め決められた所定フレーム数に達すると、ステップＳ７４に移行し、画像データを記憶部３２の画像データ記憶領域開始アドレスから順に書き込んで記憶する。
【００５４】
ここで、前記記憶部３２に記憶される画像データは、図４に示すように、画像データ領域の開始アドレスは、たとえば上記音声データ領域の最後のアドレスから順に記憶されている。また、画像データ領域Ｐ、画像データ領域Ｑ、および画像データ領域Ｒに対応する開始アドレスが、画像データ領域Ｐの先頭アドレス、画像データ領域Ｑの先頭アドレス、および画像データ領域Ｒの先頭アドレスとしてインデックス情報領域に記憶されている。これら画像データも上記音声データと同様に、画像データ領域が確保される毎に、各画像データ領域の先頭アドレスをインデックス情報領域に記憶されるようになっている。
【００５５】
上記ステップＳ７１〜ステップＳ７４は、画像取得を終了するまで繰り返し行う。ステップＳ７５で画像取得終了後は、以下ステップＳ７６で音声データ関連付けフラグをセットし、続くステップＳ７７で画像取得フラグをリセットし、さらにステップＳ７８で画像取得終了フラグをセットして本サブルーチンを終了する。ステップＳ７５において、画像取得が終了していないと判定された場合にはリターンしもとのルーチンに戻る。
【００５６】
ここで上記ステップＳ７７の画像取得フラッグをリセット、上記ステップＳ７７の画像取得終了フラッグをセットは、前記図５のステップＳ５７、ステップＳ５８にそれぞれ対応する。
【００５７】
なお、上記音声データ関連付けフラグに関しては、後述の画像再生処理において詳しく説明する。
【００５８】
次に、前記図３のステップＳ１２の“再生処理”について、図７のフローチャート、および図２を参照しながら説明する。
【００５９】
図７は上記図３中の再生処理動作を詳細に説明したフローチャートである。　　音声の再生が開始されると、ステップＳ８１で、選択した音声データ領域に関連した録音モード（標準／ロング）、ファイルナンバー、およびこの音声データを記憶した音声データ記憶領域開始アドレス等の各種情報が前記記憶部３２のインデックス情報領域から読み出され、ステップＳ８２に移行する。
【００６０】
ステップＳ８２で画像再生処理のサブルーチンを実行した後、ステップＳ８３で上記音声データ記憶領域開始アドレスから順に前記記憶部３２に記憶している音声データを読み出し、さらにステップＳ８４でデジタル信号処理部３３により復号化する。復号化そのものはフレーム単位で行うので、音声データが所定フレーム数になるまで連続的に行い、上記システム制御部３０の図示しないバッファメモリに順次記憶しながら音声信号として前記音声再生部２７に出力する。
【００６１】
続くステップＳ８５で音声データの復号化が所定フレーム数終了すると、ステップＳ８６で画像表示中フラグの状態を検出する。画像表示中フラグがセットされている場合は、音声の再生開始と同時に前記図２の表示部２９に画像表示が行われ、ステップＳ８７に移行する。通常、音声の再生に伴う口述者の認識は、画像表示開始から数秒間あれば十分なので、ステップＳ８７では後述する画像再生処理で計時を開始させた画像表示中タイマが、所定時間を計時してオーバフローしたか否かを判定する。オーバフローしていなければ、上記ステップＳ８２〜ステップＳ８６を繰り返し行う。
【００６２】
上記ステップＳ８７でオーバフローしていれば、ステップＳ８８に移行して画像表示中フラグをリセットし、続くステップＳ８９で上記画像表示中タイマの計時を停止させて、さらにステップＳ９０で通常の再生モード時の表示（録音時間、再生経過時間、録音モード（標準／ロング）、ファイルナンバー等）を行う。
【００６３】
尚、上記ステップＳ８２〜ステップＳ８６は、ステップ９１で停止スイッチ（ＳＴＯＰ）がオンするまで繰り返し行なわれる。停止スイッチ（ＳＴＯＰ）がオンすると、ステップＳ９２に移行して、再生終了処理を実行して再生を終了し、その後リターンする。
【００６４】
次に、上記所定のサブルーチンのうち、ステップＳ８２の“画像再生処理”について図８のフローチャート、および図２を参照しながら説明する。
【００６５】
図８は、上記図７の画像再生処理動作を詳細に説明したフローチャートである。
まず、ステップＳ１００で音声データ関連付けフラグがセットされているか否かを検出する。セットされていなければ音声データだけを復号化する前記図７に示した通常の再生処理を実行するが、セットされているときは、ステップＳ１０１へ移行し、画像データ復号化終了フラグがセットされているか否かを検出する。画像データ復号化終了フラグがセットされていた場合は、そのままリターンする。画像データ復号化終了フラグがセットされていなかった場合は、ステップＳ１０２で上記画像データ記憶領域開始アドレスから順に記憶部３２に記憶している画像データを読み出し、続くステップＳ１０３でデジタル信号処理部３３により復号化を行う。復号化そのものは音声データ同様にフレーム単位で行うので、ステップＳ１０４で画像データが所定フレーム数になるまで連続的に行い、システム制御部３０の図示しないバッファメモリに順次記憶しながら画像信号として画像再生部２３に出力する。
【００６６】
上記ステップＳ１００〜ステップＳ１０５は、画像データの復号化を終了するまで繰り返し行われる。画像データの復号化終了と同時に、以下、ステップＳ１０６で画像データ復号化終了フラグをセットし、ステップＳ１０７で画像表示中フラグをセットし、さらにステップＳ１０８で画像表示中タイマの計時を開始させて終了する。
【００６７】
次に、実際の録音時の画像取得方法の概略を図９、図１０および図１１を参照して説明する。
図９は上記第１実施形態を示すデータ処理装置を有する撮像機能を持つ音声記録再生装置における録音時の撮影の概略を示した上面図であり、図１０は正面図、図１１は使用状態図である。
【００６８】
上記データ処理装置７２の上面には、マイクロフォン孔７４、撮像レンズ７５、マイクジャック７６、およびイヤフォンジャック７７が長手方向に沿ってそれぞれ配設されている。前記マイクロフォン孔７４および前記撮像レンズ７５に対向する装置内には、前記図２のマイクロフォン２５および前記撮像素子２１がそれぞれ配設されている。
【００６９】
また、上記データ処理装置７２の正面の上部にはレリーズスイッチ釦７３および表示部７１がそれぞれ配設されており、一側面には録音スイッチ釦７０が配設されている。
【００７０】
尚、上記データ処理装置７２に配設されるその他の操作スイッチ釦は、特に図示しないが、これらその他の操作スイッチ釦は、操作し易いようにデータ処理装置７２の正面あるいは側面側に配設されている。
【００７１】
さらに、データ処理装置７２の正面の下部にはスピーカ放音孔７８が配設されており、前記スピーカ放音孔７８に対向する装置内には、前記図２のスピーカ２８が配設されている。なお、上記操作スイッチは、通常タクティルプッシュスイッチ（Ｔａｃｔｉｌｅ　Ｐｕｓｈ　Ｓｗｉｔｃｈ）といわれるフェザータッチのスイッチを用いることが多い。
【００７２】
まず、データ処理装置７２の録音スイッチ釦７０を押動して録音スイッチをオンにすると録音が開始される。このとき、表示部７１には録音開始初期の表示が現れ、録音動作状態であることを操作者に告知する。この状態において、図１１に示すように、データ処理装置７２の上面を口述者７９に向けてレリーズスイッチ釦７３を押してレリーズスイッチをオンすることにより、口述者の画像を取得することができる。画像取得は、レリーズスイッチをオンする毎に行われる。したがって、複数の口述者を相手にするインタビュー等においても、口述内容に対応する口述者毎の画像を確実に記録することができる。
【００７３】
さらに、画像を確実に記録するために、レリーズスイッチをオンしてから暫らくの間は、撮像レンズ７５で捕捉した画像を表示部７１に表示してもよい。そして、被写体のフレーミングを決定した後、再びレリーズスイッチをオンすることにより画像取得が実行される。
【００７４】
続いて図１２を参照して、再生時の画像再生の概略を説明する。
【００７５】
図１２は再生時の画像再生の概略を示したデータ処理装置の正面図である。　　データ処理装置７２の正面あるいは側面側に配設された図示しない再生スイッチ釦を押して再生スイッチをオンにすると再生動作が開始される。前記スピーカ放音孔７８からは、たとえば図１２の吹き出しに示すような音声が発音されると同時に、この音声に関連した口述者の画像が表示部に表示される。前記画像は、この画像に関連した音声の再生が終了するまで表示してもよい。もちろん、前述のように再生開始から一定時間だけ表示するのもよい。
【００７６】
また、画像確認が不要ならば、全く表示しなくてもよい。もし、音声に関連した画像が記録されていないときは、通常の再生時の表示（録音時間、再生経過時間、録音モード（標準／ロング）、ファイルナンバー等）を表示する。
【００７７】
このように構成された本発明の第１実施形態を示すデータ処理装置においては、システム制御部３０の制御により、録音時に、被写体の撮影を行う場合は、ＳＷ操作部１０の図示しない特定スイッチ、１ｓｔレリーズスイッチの押動操作が行われた場合にのみ撮像部７への電力を供給することができる。
【００７８】
また、システム制御部３０の制御により、ＳＷ操作部１０の図示しない特定スイッチ、１ｓｔレリーズスイッチ、もしくは２ｎｄレリーズスイッチの開放動作が行われた場合にのみ撮像部７への電源供給を遮断することができる。
【００７９】
また、再生時に、口述内容を聴きながら口述者自身を視覚的に確認することができるので、特にインタビューなど、複数の口述者の口述内容を口述者毎に録音して、後日ドキュメント化するような場合に非常に有効となる。
【００８０】
さらに、画像データおよび音声データを不揮発性メモリに兼用して記憶するので、コストアップが生じず、また、マイクロフォンの指向方向と同軸方向に撮像レンズを配設しているので、操作者は、違和感なくスムーズに録音時の画像取得を行うことができるし、また、口述者に対してもほとんど不快感を与えることがない。
【００８１】
次に本発明の第２実施形態であるＩＣレコーダについて説明する。
【００８２】
この第２実施形態であるＩＣレコーダは、前述した第１実施形態であるＩＣレコーダの構成（例えばシステム制御部３０を含む）に加えてＳＷ操作部１０あるいは操作部３１にカメラスイッチ（ＣＡＭＥＲＡ）をさらに有する。そして、第２実施形態のＩＣレコーダは画像の撮影および記録動作といったいわゆるカメラ機能のみの動作モードであるカメラ機能モードと、カメラ機能および音声の記録再生を行うことが可能な音声レコーダー機能モードという二つの機能モードを有し、これらの機能モードの切り換えは上記カメラスイッチにより行うことができるように構成されている。
【００８３】
図１３は、本発明の第２実施形態であるＩＣレコーダにおけるメイン動作の処理の概略を示したフローチャートである。なお、この図１３のフローチャート中、ステップＳ２０およびステップＳ２１以外のステップは、前述の第１実施形態に係る図３と同じなので説明を省略する。
【００８４】
システム制御部３０はステップＳ２０において、オンされたスイッチがカメラスイッチ（ＣＡＭＥＲＡ）であるか否かを判定する。オンされたスイッチがカメラスイッチ（ＣＡＭＥＲＡ）であればシステム制御部３０はステップＳ２１に移行し、レリーズ処理のサブルーチンを実行する。そして、レリーズ処理のサブルーチンを実行後は、ステップＳ１７に移行し、タイマを再スタートさせてステップＳ３に移行し、メインループに戻る。
【００８５】
上記カメラスイッチ（ＣＡＭＥＲＡ）は、たとえばスライドスイッチのようにその状態を強制的に保持できるメカニカルなスイッチである。しかしながら、タクティクルプッシュスイッチのように操作したときのみオンするようなスイッチであっても良い。その場合には上記機能モードを保持するための、記憶部３２あるいはＲＡＭ等のメモリ内に現在の機能モードを記憶しておくといったような機能モード保持手段を設ければよい。
【００８６】
次に、上記ステップＳ２１のレリーズ処理のサブルーチンについて図１４のフローチャートおよび図２を参照して説明する。
【００８７】
上記ステップＳ２０においてカメラスイッチ（ＣＡＭＥＲＡ）がオンされると、上述したようにシステム制御部３０はステップＳ２１に移行し、レリーズ処理のサブルーチン（カメラ機能モードに係るサブルーチン）を実行する。
【００８８】
このレリーズ処理のサブルーチンでは、システム制御部３０はまずステップＳ１１０において撮像素子の通電を開始し、続いてステップＳ１１１に移行し、１ｓｔレリーズスイッチのオン／オフ状態を判定する。このステップＳ１１１において１ｓｔレリーズスイッチがオンであった場合にはさらにステップＳ１１２に移行し、２ｎｄレリーズスイッチのオン／オフ状態を判定する。
【００８９】
ステップＳ１１１において１ｓｔレリーズスイッチがオフだった場合、またはステップＳ１２２で２ｎｄレリーズスイッチがオフであった場合には、システム制御部３０はステップＳ１１３に移行し、カメラスイッチ（ＣＡＭＥＲＡ）のオン／オフ状態を判定する。ステップＳ１１３においてカメラスイッチ（ＣＡＭＥＲＡ）がオンのときは、ステップＳ１１１に戻り、上記１ｓｔレリーズスイッチおよび２ｎｄレリーズスイッチの状態検出を繰り返し行なう。一方カメラスイッチ（ＣＡＭＥＲＡ）がオフになると、ステップＳ１１８に移行し、システム制御部３０は撮像素子の通電を停止して本サブルーチンのレリーズ処理を終了する。
【００９０】
次に、ステップＳ１１２において２ｎｄレリーズスイッチがオンになると、システム制御部３０はステップＳ１１４に移行しデジタル信号処理部３３を制御して画像信号の符号化を行う。なお、符号化そのものはフレーム単位で行われ、また、ステップＳ１１５において画像データが所定フレーム数になったと判断されるまで連続的に行われる。
【００９１】
そして、ステップＳ１１５において、システム制御部３０の図示しないバッファメモリに記憶された画像データが、予め決められた所定フレーム数になると、ステップＳ１１６に移行する。システム制御部３０は、ステップＳ１１６では画像データを記憶部３２の画像データ記憶領域開始アドレスから順に書き込んで記憶する。
【００９２】
上記一連の画像データ書き込み処理は、前述の図４の説明内容と同じなので詳述は省略する。
【００９３】
上記ステップＳ１１４〜Ｓ１１６は、ステップＳ１１７において画像取得が終了したと判定されるまで繰り返し行われ、システム制御部３０は、ステップＳ１１７において画像取得が終了したと判定した場合は、ステップＳ１１８に移行し、撮像素子の通電を停止して当該レリーズ処理のサブルーチンを終了する。
【００９４】
なお、本レリーズ処理において、システム制御部３０は、操作者が何も操作を行わない場合はステップＳ１１１とステップＳ１１３を繰り返す（ループする）。なお図示はしないがシステム制御部３０により、このループ中に所定のタイマーをスタートさせ、操作者が所定時間以上何も操作が行われなければステップＳ１１８へ移行して撮像素子の通電を停止させるようにして電源電力の節約を図るようにしても良い。
【００９５】
以上のように構成された本発明の第２の実施形態を示すデータ処理装置においては、システム制御部３０の制御により、電源電力の節約を図りつつ、スムーズに撮影動作を行うことができる。
【００９６】
なお、上述した各実施の形態等を部分的等で組み合わせる等して構成される実施の形態等も本発明に属する。
【００９７】
【発明の効果】
以上、説明したように本発明によれば、低電力で、使い勝手の良い、データ処理装置を提供することができる。
【図面の簡単な説明】
【図１】本発明の第１実施形態であるデータ処理装置の構成の概略を示したブロック図、
【図２】上記第１実施形態におけるデータ処理装置の具体的な構成を示したブロック図、
【図３】上記第１実施の形態を示すデータ処理装置におけるメイン動作の処理の概略を示したフローチャート、
【図４】上記図２の記憶部に記憶された、音声データ領域とインデックス情報領域のそれぞれの構成と対応を示した図、
【図５】上記図３中の録音処理動作を詳細に説明したフローチャート、
【図６】上記図５中の画像取得処理動作を詳細に説明したフローチャート、
【図７】上記図３中の再生処理動作を詳細に説明したフローチャート、
【図８】上記図７の画像再生処理動作を詳細に説明したフローチャート、
【図９】上記第１実施の形態を示すデータ処理装置の要部の構成および録音時の撮影の概略を示した上面図、
【図１０】上記第１実施の形態を示すデータ処理装置の要部の構成および録音時の撮影の概略を示した正面図、
【図１１】上記第１実施の形態を示すデータ処理装置の要部の構成および録音時の撮影の概略を示した録音状態の正面図、
【図１２】本発明の上記第１実施の形態において、再生時の画像再生の概略を示したデータ処理装置の正面図。
【図１３】本発明の第２実施形態であるデータ処理装置におけるメイン動作の処理の概略を示したフローチャート。
【図１４】上記図１３中のレリーズ処理動作を詳細に説明したフローチャート。
【符号の説明】
６…記憶手段
７…撮像部（撮像手段）
１０…スイッチ操作部
３０…システム制御部（制御手段）
３１…操作部
７２…データ処理装置
【図１】
2004032717.tif 000003
【図２】
2004032717.tif 000004
【図３】
2004032717.tif 000005
【図４】
2004032717.tif 000006
【図５】
2004032717.tif 000007
【図６】
2004032717.tif 000008
【図７】
2004032717.tif 000009
【図８】
2004032717.tif 000010
【図９】
2004032717.tif 000011
【図１０】
2004032717.tif 000012
【図１１】
2004032717.tif 000013
【図１２】
2004032717.tif 000014
【図１３】
2004032717.tif 000015
【図１４】
2004032717.tif 000016